(57)【要約】【課題】ユーザに煩わしい文字入力操作を強いることなく、再生中の映像コンテンツに関連する関連コンテンツを再生する。【解決手段】本発明に係るコンテンツ再生装置は、映像２１０と映像２１０に付随した字幕２２０とを含む映像コンテンツ２００を再生する。ユーザが字幕２２０に含まれているキーワードの何れかを選択すると、コンテンツ再生装置１００は、選択されたキーワードに関連する関連コンテンツ３００を再生する。したがって、ユーザに煩わしい文字入力操作を強いることなく、再生中の映像コンテンツ２００に関連する関連コンテンツ３００を再生することができる。【選択図】図１
2009206993.tif 000002
【特許請求の範囲】
【請求項１】
映像と当該映像に付随した文字情報とを含む映像コンテンツを再生する映像コンテンツ再生手段と、
上記文字情報に含まれているキーワードの何れかをユーザ操作に基づいて選択するキーワード選択手段と、
上記キーワード選択手段により選択されたキーワードに関連する関連コンテンツを再生する関連コンテンツ再生手段と、を備えている、
ことを特徴とするコンテンツ再生装置。
【請求項２】
ネットワークを介して取得可能なリソース、および、記憶装置から読み出し可能なリソースの少なくとも何れかを対象として、上記関連コンテンツを再生するためのリソースを検索するリソース検索手段を更に備えており、
上記関連コンテンツ再生手段は、上記リソース検索手段により特定されたリソースに基づいて上記関連コンテンツを再生する、
ことを特徴とする、請求項１に記載のコンテンツ再生装置。
【請求項３】
上記関連コンテンツ再生手段は、上記リソース検索手段により特定されたリソースのうち、予め設定された特定ウェブサイトに属するウェブコンテンツを再生するためのリソースに基づいて上記関連コンテンツを再生する、
ことを特徴とする、請求項２に記載のコンテンツ再生装置。
【請求項４】
上記文字情報は、上記映像に付随した字幕である、
ことを特徴とする請求項１から３までの何れか１項に記載のコンテンツ再生装置。
【請求項５】
映像を再生する第１のコンテンツ再生装置と、上記映像に付随した文字情報を再生する第２のコンテンツ再生装置とを含むコンテンツ再生システムであって、
上記第１および第２のコンテンツ再生装置の少なくとも何れかは、上記文字情報に含まれているキーワードの何れかをユーザ操作に基づいて選択するキーワード選択手段を備えており、
上記第１および第２のコンテンツ再生装置の少なくとも何れかは、上記キーワード選択手段により選択された被選択キーワードに関連する関連コンテンツを再生する関連コンテンツ再生手段を備えている、
ことを特徴とするコンテンツ再生システム。
【請求項６】
映像と当該映像に付随した文字情報とを含む映像コンテンツを再生する映像コンテンツ再生工程と、
上記文字情報に含まれているキーワードの何れかをユーザ操作に基づいて選択するキーワード選択工程と、
上記キーワード選択工程において選択された被選択キーワードに関連する関連コンテンツを再生する関連コンテンツ再生工程と、を含んでいる、
ことを特徴とするコンテンツ再生方法。
【請求項７】
コンピュータを請求項１から４までの何れか１項に記載のコンテンツ再生装置として動作させるためのコンテンツ再生プログラムであって、
上記コンピュータを上記コンテンツ再生装置が備えている各手段として機能させるコンテンツ再生プログラム。
【請求項８】
請求項７に記載のコンテンツ再生プログラムが記録されているコンピュータ読み取り可能な記録媒体。
【発明の詳細な説明】
【技術分野】
【０００１】
字幕等の文字情報が付随した映像コンテンツを再生するコンテンツ再生装置、コンテンツ再生システム、コンテンツ再生方法、および、コンテンツ再生プログラムに関する。また、そのようなコンテンツ再生プログラムを記録した記録媒体に関する。
【背景技術】
【０００２】
インターネットの普及により、知りたい情報をいつでもどこでも容易に取得できるようになった。例えば、テレビ番組を閲覧しながら、インターネットに接続された携帯電話端末上で動作するウェブブラウザを用いて、閲覧中のテレビ番組に関連する情報を即座に取得することができる。
【０００３】
特許文献１には、放送チャンネルを介して行われるテレビ番組の放送と、インターネットを介して行われるデジタルコンテンツの配信とを連動させるシステムが提案されている。このシステムにおいては、テレビ端末において再生中のテレビ番組に関連するデジタルコンテンツを、インターネット端末を用いて放送事業者のウェブサーバから取得して再生することができる。
【特許文献１】特開２００２−１３３３５２号公報（２００２年５月１０日公開）
【発明の開示】
【発明が解決しようとする課題】
【０００４】
しかしながら、特許文献１に記載のシステムにおいては、テレビ番組を再生するテレビ端末と、デジタルコンテンツを再生するインターネット端末とは別の端末である。そして、テレビ端末において再生中のテレビ番組に関するデジタルコンテンツをインターネット端末において再生する場合、再生するデジタルコンテンツを特定するための情報をインターネット端末に手動で入力する必要がある。例えば、そのデジタルコンテンツをキーワード検索により特定する場合、インターネット端末にキーワードを入力するための煩わしい文字入力操作が必要になる。
【０００５】
本発明は、上記の問題に鑑みてなされたものであり、その目的は、再生中の映像コンテンツに関連する関連コンテンツを容易に再生することができるコンテンツ再生装置を提供することにある。
【課題を解決するための手段】
【０００６】
上記課題を解決するために、本発明に係るコンテンツ再生装置は、映像と当該映像に付随した文字情報とを含む映像コンテンツを再生する映像コンテンツ再生手段と、上記文字情報に含まれているキーワードの何れかをユーザ操作に基づいて選択するキーワード選択手段と、上記キーワード選択手段により選択されたキーワードに関連する関連コンテンツを再生する関連コンテンツ再生手段と、を備えている、ことを特徴としている。
【０００７】
また、上記課題を解決するために、本発明に係るコンテンツ再生方法は、映像と当該映像に付随した文字情報とを含む映像コンテンツを再生する映像コンテンツ再生工程と、上記文字情報に含まれているキーワードの何れかをユーザ操作に基づいて選択するキーワード選択工程と、上記キーワード選択工程において選択された被選択キーワードに関連する関連コンテンツを再生する関連コンテンツ再生工程と、を含んでいる、ことを特徴としている。
【０００８】
上記の構成に拠れば、再生中の映像コンテンツの文字情報に含まれているキーワードの何れかに関連する関連コンテンツを再生することができる。しかも、ユーザは、再生中の映像コンテンツの文字情報に含まれているキーワードの何れかを選択するだけで、関連コンテンツを閲覧することができ、煩わしい文字入力操作を強いられることがない。つまり、再生中の映像コンテンツに関連する関連コンテンツを従来より容易に再生することができるという効果を奏する。
【０００９】
本発明に係るコンテンツ再生装置は、ネットワークを介して取得可能なリソース、および、記憶装置から読み出し可能なリソースの少なくとも何れかを対象として、上記関連コンテンツを再生するためのリソースを検索するリソース検索手段を更に備えており、上記関連コンテンツ再生手段は、上記リソース検索手段により特定されたリソースに基づいて上記関連コンテンツを再生する、ことが好ましい。
【００１０】
上記の構成に拠れば、ネットワークを介して取得可能なリソース、および、記憶装置から読み出し可能なリソースの少なくとも何れかに基づいて、上記関連コンテンツを再生することができる。換言すれば、ユーザ操作に基づいて選択されたキーワードに関連するウェブコンテンツまたは蓄積コンテンツを、関連コンテンツとして再生することができる。
【００１１】
なお、上記記憶装置は、当該コンテンツ再生装置にとってリソースを読み出し可能な記憶装置であればよく、当該コンテンツ再生装置に内蔵された記憶装置であっても、当該コンテンツ再生装置に接続されたいわゆる外付けの記憶装置であってもよい。
【００１２】
本発明に係るコンテンツ再生装置において、上記関連コンテンツ再生手段は、上記リソース検索手段により特定されたリソースのうち、予め設定された特定ウェブサイトに属するウェブコンテンツを再生するためのリソースに基づいて上記関連コンテンツを再生する、ことが好ましい。
【００１３】
上記の構成に拠れば、上記リソース検索手段が関連コンテンツを再生するためのリソースとして複数のリソースを特定した場合であっても、ユーザによるリソースの選択操作なしに、予め設定された特定ウェブサイトに属するウェブコンテンツを直ちに再生することができる。
【００１４】
本発明に係るコンテンツ再生装置において、上記文字情報は、上記映像に付随した字幕である、ことが好ましい。
【００１５】
上記の構成に拠れば、映像に付随した字幕に含まれるキーワードの何れかに関連する関連コンテンツが再生する。したがって、再生中の映像の内容により即した関連コンテンツを再生することができる。
【００１６】
なお、本発明は、映像を再生する第１のコンテンツ再生装置と、文字情報を再生する第２のコンテンツ再生装置とを含むコンテンツ再生システムとして実現してもよい。すなわち、映像を再生する第１のコンテンツ再生装置と、上記映像に付随した文字情報を再生する第２のコンテンツ再生装置とを含むコンテンツ再生システムであって、上記第１および第２のコンテンツ再生装置の少なくとも何れかは、上記文字情報に含まれているキーワードの何れかをユーザ操作に基づいて選択するキーワード選択手段を備えており、上記第１および第２のコンテンツ再生装置の少なくとも何れかは、上記キーワード選択手段により選択された被選択キーワードに関連する関連コンテンツを再生する関連コンテンツ再生手段を備えている、コンテンツ再生システムも本発明の範疇に入る。
【００１７】
また、上記コンテンツ再生装置は、コンピュータによって実現してもよい。この場合、コンピュータを上記各手段として動作させることにより、上記各装置をコンピュータにおいて実現するプログラム、および、そのプログラムを記録したコンピュータ読み取り可能な記録媒体も、本発明の範疇に入る。
【発明の効果】
【００１８】
本発明に係るコンテンツ再生装置は、以上のように、映像と当該映像に付随した文字情報とを含む映像コンテンツを再生する映像コンテンツ再生手段と、上記文字情報に含まれているキーワードの何れかをユーザ操作に基づいて選択するキーワード選択手段と、上記キーワード選択手段により選択されたキーワードに関連する関連コンテンツを再生する関連コンテンツ再生手段と、を備えている。
【００１９】
したがって、ユーザに煩わしい文字入力操作を強いることなく、再生中の映像コンテンツに関連する関連コンテンツを再生することができるコンテンツ再生装置を提供することができる。
【発明を実施するための最良の形態】
【００２０】
〔実施形態１〕
（コンテンツ再生装置の構成）
本実施形態に係るコンテンツ再生装置１００の構成について、図１および図２を参照して説明する。図１は、コンテンツ再生装置１００が備えている表示装置１５０に表示される画面を示した図である。図２は、コンテンツ再生装置１００の構成を示したブロック図である。
【００２１】
本実施形態に係るコンテンツ再生装置１００は、映像２１０と、当該映像２１０に付随した字幕２２０を再生する携帯電話端末として実現されており、以下に説明するように、字幕２２０に含まれるキーワードに関連した関連コンテンツ３００を再生する点を特徴としている。
【００２２】
図２に示したように、コンテンツ再生装置１００は、映像コンテンツ取得部１１０、映像コンテンツ再生部１２０、関連コンテンツ取得部１３０、関連コンテンツ再生部１４０、表示装置１５０、および、記憶装置１６０を備えている。なお、図２においては、通話機能を実現するためのブロック等、従来の携帯電話端末が備えているブロックについての図示を省略している。
【００２３】
映像コンテンツ取得部１１０は、映像コンテンツ２００を再生するためのリソースを取得するための手段である。また、映像コンテンツ再生部１２０は、映像コンテンツ取得部１１０が取得したリソースに基づいて映像コンテンツ２２０を再生するための手段であり、映像２１０を再生する映像再生部１２１と、字幕２２０を再生する字幕再生部１２２とを含む。映像再生部１２１により再生された映像２１０と、字幕再生部１２２により再生された字幕２２０とは、図１に示したように表示部１６０に表示される。
【００２４】
上述したように、映像コンテンツ再生部１２０により再生される映像コンテンツ２００は、映像２１０と、映像２１０に付随する字幕２２０とを含んでいる。映像２１０は、複数のシーンにより構成され、字幕２２０は、複数の字幕文字列により構成される。映像２１０を構成するシーンと字幕２２０を構成する字幕文字列とは、再生時刻を介して互いに関連付けられている。すなわち、映像２１０を構成する各シーンには、そのシーンと同時に再生するべき字幕文字列が関連付けられている。
【００２５】
図１に示した画面は、バイオエタノールに関するニュース映像であるシーンと、このシーンに関連付けられた「次のニュースは、トウモロコシなどの植物から作る・・・」という字幕文字列とが再生されているときの画面である。なお、全てのシーンに字幕文字列が関連付けられている必要はなく、字幕文字列が関連付けられていないシーンが映像２１０に含まれていてもよい。
【００２６】
映像コンテンツ再生部１２０は、映像コンテンツ２００の字幕ベース再生、または、映像ベース再生を行う。ここで、字幕ベース再生とは、字幕２２０の再生に映像２１０の再生を同期させる再生態様である。また、映像ベース再生とは、映像２１０の再生に字幕２２０の再生を同期させる通常の再生態様である。
【００２７】
映像コンテンツ２００を字幕ベース再生する場合、字幕再生部１２２にて字幕２２０を構成する一連の字幕文字列を逐次再生するとともに、字幕再生部１２２が各字幕文字列の再生を開始してから終了するまでの間、映像再生部１２１にて再生中の字幕文字列に関連付けられたシーンを再生することによって、字幕２２０の再生に映像２１０の再生を同期させる。一方、字幕付き映像コンテンツ２００を映像ベース再生する場合、映像再生部１２１にて映像２１０を構成する一連のシーンを逐次再生するとともに、映像再生部１２１が各シーンの再生を開始してから終了するまでの間、字幕再生部１２２にて再生中のシーンに関連付けられた字幕文字列を再生することによって、映像２１０の再生に字幕２１０の再生を同期させる。
【００２８】
なお、字幕再生部１２２が字幕２２０を構成する一連の字幕文字列を再生する方法は任意である。本実施形態においては、字幕２２０を所定のスクロール速度でスクロール表示することによって、一連の字幕文字列を再生するものとするが、例えば、紙芝居のように字幕文字列を１つずつ切り替えながら表示することによって、一連の字幕文字列を再生するようにしてもよい。
【００２９】
関連コンテンツ取得部１３０は、関連コンテンツ３００を再生するためのリソースを取得するための手段である。また、関連コンテンツ再生部１４０は、関連コンテンツ取得部１３０が取得したリソースに基づいて関連コンテンツ３００を再生するための手段である。関連コンテンツ再生部１４０により再生された関連コンテンツ３００は、図１に示したように表示部１６０に表示される。
【００３０】
関連コンテンツ取得部１３０が取得するリソースは、再生中の映像コンテンツ２００の字幕２２０に含まれるキーワードのうち、ユーザにより選択された被選択キーワードに関連する関連コンテンツ３００を再生するためのリソースである。この関連コンテンツ取得部１３０が関連コンテンツ３００を再生するためのリソースを取得する方法については、参照する図面を代えて後述する。
【００３１】
表示装置１５０は、映像コンテンツ再生部１２０により再生された映像コンテンツ２００に含まれる映像２１０および字幕２２０、ならびに、関連コンテンツ再生部１４０により再生された関連コンテンツ３００を表示するための手段である。この表示装置１５０は、タッチパネル機能を有する液晶表示パネルにより構成されており、表示された字幕２００に含まれるキーワードのうちから、所望のキーワードを選択するユーザ操作（所望のキーワードを指またはペンによりタップする操作）を受け付けるための手段としても機能する。
【００３２】
（関連コンテンツ取得部の構成）
次に、関連コンテンツ取得部１３０の構成について、図１および図３を参照して説明する。図３は、関連コンテンツ取得部１３０の構成を示すブロック図である。図３に示したように、関連コンテンツ取得部１３０は、キーワード抽出部１３１、キーワード選択部１３２、リソース検索部１３３、リソース選択部１３４、および、リソース取得部１３５を備えている。
【００３３】
字幕再生部１２２は、再生中の字幕文字列を関連コンテンツ取得部１３０に与える。キーワード抽出部１３１は、与えられた字幕文字列からキーワードを抽出する。具体的には、与えられた字幕文字列から連続する漢字からなる漢字文字列、および、連続する片仮名からなる片仮名文字列をキーワードと看做して抽出する。
【００３４】
なお、キーワード抽出部１３１がキーワードを抽出する方法はこれに限定されない。例えば、キーワードと看做すべき語を他の語と識別するための識別子（例えば、キーワードと看做すべき語の前後に配置されたタグなど）を予め字幕文字列に含めておき、この識別子に基づいてキーワードを抽出するようにしてもよい。あるいは、キーワードと見做すべき語をデータベースに予め登録しておき、字幕再生部１２２より入力された字幕文字列を構成する語のうち当該データベースに登録されている語に合致する語をキーワードとして抽出するようにしてもよい。
【００３５】
キーワード抽出部１３１により抽出されたキーワードは、後述するキーワード選択部１３２の他に、前述した字幕再生部１２２により参照される。字幕再生部１２２は、再生中の映像コンテンツ２００の字幕２２０を表示装置１５０に表示する際、キーワード抽出部１３１により抽出されたキーワードに該当する語を他の語と識別可能に表示する。具体的には、図１に示したように、キーワードとなる語に下線を付すことによって、キーワードとなる語を他の語と識別可能に表示する。
【００３６】
なお、字幕再生部１２２がキーワードとなる語を他の語と識別可能に表示する方法はこれに限定されない。例えば、キーワードとなる語の表示形態（表示色、表示サイズ、表示フォント、表示スタイルなど）を他の語の表示形態と異ならせることによって、キーワードとなる語を他の語と識別可能に表示するようにしてもよい。また、キーワードとなる語にのみアイコン等のマークを付すことによって、キーワードとなる語を他の語と識別可能に表示するようにしてもよい。
【００３７】
キーワード選択部１３２は、キーワード抽出部１３１によって抽出されたキーワードの何れかをユーザ操作に基づいて選択する。具体的には、再生中の字幕文字列に含まれているキーワードの何れかをユーザがタップすると、表示装置１５０は、何れのキーワードがタップされたのかを示す情報をキーワード選択部１３２に通知する。キーワード選択部１３２は、この通知に基づいてユーザによりタップされたキーワードを選択する。
【００３８】
なお、キーワード選択部１３２がキーワードを選択するために参照するユーザー操作はこれに限定されない。例えば、コンテンツ再生装置１００が備えている十字キーなどのポインティングデバイスに対するユーザ操作を検出してキーワードを選択するようにしてもよい。
【００３９】
リソース検索部１３３は、キーワード選択部１３２によって選択された被選択キーワードに関連する関連コンテンツを再生するためのリソースを検索するための手段である。リソース検索部１３３が検索対象とするリソースは、インターネットを介して取得可能なＨＴＭＬ文書等のリソース、および、コンテンツ再生装置１００に内蔵された記憶装置１６０から読み出し可能なＭＰＥＧデータ等のリソースである。ここで、インターネットを介して取得可能なリソースは、ウェブページ等のウェブコンテンツを再生するために利用され、記憶装置１６０から読み出し可能なリソースは、過去に録画した放送コンテンツ等の蓄積コンテンツを再生するために利用される。
【００４０】
被選択キーワードに関連するウェブコンテンツを検索するために、リソース検索部１３３は、コンテンツ再生装置１００とインターネットを介して接続された検索サーバを利用する。具体的には、被選択キーワードを検索サーバに送信するとともに、被選択キーワードに関連するウェブコンテンツのＵＲＬ、および、タイトルを当該検索サーバから取得する。一方、被選択キーワードに関連する蓄積コンテンツを検索するために、リソース特定部１３３は、記憶装置１６０に格納されている各リソースに付与されたメタデータを利用する。具体的には、被選択キーワードに該当するキーワードがメタデータとして付与されたリソースを検索し、そのリソースにメタデータとして付与されたファイル名、および、タイトルを特定する。
【００４１】
そして、リソース検索部１３３は、検索サーバから取得した、被選択キーワードに関連するウェブコンテンツのタイトル、および、メタデータデータ参照して特定した、被選択キーワードに関連する蓄積コンテンツのタイトルを、タイトルリスト４００として表示装置１５０に一覧表示する。図１に示した例では、被選択キーワードである「バイオエタノール」に関連するウェブコンテンツのタイトルとして「バイオエタノールＭｉｋｉｐｅｄｉａ」、「バイオエタノールって何？」、および「バイオ燃料の話」が、また、被選択キーワード「バイオエタノール」に関連する蓄積コンテンツのタイトルとして「サイエンスワン」、および「ＭＨＫニュース７」がタイトルリスト４００にリストされている。
【００４２】
なお、リソース検索部１３３は、被検索キーワードに関連するウェブコンテンツを検索するために、コンテンツ再生装置１００のユーザの特徴を示すユーザプロファイルを検索サーバに送信し、検索サーバは、被選択キーワードとユーザプロファイルとに基づいて関連コンテンツを検索する構成としてもよい。これにより、コンテンツ再生装置１００のユーザの嗜好によりマッチした関連コンテンツを、コンテンツ再生装置１００にて再生することが可能になる。
【００４３】
リソース選択部１３４は、リソース検索部１３３によって検索されたリソースの何れかをユーザ操作に基づいて選択する。具体的には、キーワードリスト４００にリストされているタイトルの何れかをユーザがタップすると、表示装置１５０は、何れのタイトルがタップされたのかを示す情報をリソース選択部１３４に通知する。リソース選択部１３４は、この通知に基づいてユーザによりタップされたタイトルに対応するリソースを選択する。そして、リソース選択部１３４は、ウェブコンテンツを再生するためのリソースを選択した場合には当該リソースのＵＲＬを、また、蓄積コンテンツを再生するためのリソースを選択した場合には、当該リソースのファイル名を、リソース検索部１３３から取得してリソース取得部１３５に通知する。
【００４４】
リソース取得部１３５は、リソース選択部１３４によって選択されたリソースを取得する。具体的には、リソース選択部１３４からＵＲＬが通知された場合には、当該ＵＲＬに基づいてリソース選択部１３４によって選択されたリソースをインターネットを介して取得し、リソース選択部１３４からファイル名が通知された場合には、当該ファイル名に基づいてリソース選択部１３４によって選択されたリソースを記憶装置１６０から読み出す。リソース取得部１３５により取得されたリソースは、上述した関連コンテンツ再生部１４０に与えられ、関連コンテンツ３００を再生するために利用される。
【００４５】
なお、リソース選択部１３４は、ユーザによるリソース選択操作を待たずに、予め設定された特定ウェブサイト内のウェブページを表示するためのリソースをデフォルトリソースとして選択する。このため、キーワード選択操作の直後に、予め設定された特定ウェブサイト内の被選択キーワードに関連するウェブページが再生される。
【００４６】
ここで、上記特定ウェブサイトとして予め設定しておくのに相応しいウェブサイトとしては、百科事典サイト、辞書サイト、あるいは、ニュースサイトなどが挙げられる。図１には、百科事典サイトが上記特定ウェブサイトとして設定されている場合に、ユーザが「バイオエタノール」というキーワードを選択した直後の状態、すなわち、上記特定ウェブサイトとして設定された百科事典サイト内の「バイオエタノール」について記載したウェブページ「バイオエタノールＭｉｋｉｐｅｄｉａ」が表示された状態を例示している。もちろん、図１に示した状態でユーザが他のタイトル、例えば、「サイエンスワン」を選択すれば、ウェブページ「バイオエタノールＭｉｋｉｐｅｄｉａ」の代わりに、蓄積コンテンツ「サイエンスワン」が再生される。
【００４７】
（キーワードリストについて）
最後に、図１に示したキーワードリスト５００について説明する。図１に示した画面に含まれるキーワードリスト５００は、被選択キーワードとの関連性が高いキーワードからなるリストである。コンテンツ再生装置１００は、再生した字幕文字列に含まれていたキーワードを蓄積するとともに、蓄積したキーワード間の関連性を評価する機能を有している。被選択キーワードとの関連性が高いキーワードとは、蓄積されたキーワードのうち、被選択キーワードとの関連性の評価値が所定の閾値以上となるキーワードのことである。
【００４８】
このキーワードリスト５００にリストされたキーワードの何れかをユーザが選択すると、コンテンツ再生装置１００は、再生中の字幕文字列に含まれるキーワードが選択された場合と同様に、選択されたキーワードに関連する関連コンテンツを検索して再生する。つまり、ユーザは、再生中の字幕文字列に含まれるキーワードに限らず、再生中の字幕列に含まれるキーワードとの関連性が高いキーワードに関連するコンテンツをも閲覧することができる。
【００４９】
なお、図１に示したキーワードリスト５００の代わりに、図４に示したキーワードリスト６００を採用してもよい。図４に示したキーワードリストは、保存されたキーワード、つまり、ユーザが過去に選択したキーワードからなるリストである。キーワードリスト６００にリストされたキーワードの何れかをユーザが選択すると、コンテンツ再生装置１００は、再生中の字幕文字列に含まれるキーワードが選択された場合と同様に、選択されたキーワードに関連するコンテンツを検索して再生する。つまり、ユーザは、再生中の字幕文字列に含まれるキーワードに限らず、過去に選択したキーワードに関連するコンテンツをも閲覧することができる。
【００５０】
〔実施形態２〕
本実施形態に係るコンテンツ再生システムの構成について、図５〜７を参照して説明する。図５〜７に示したコンテンツ再生システムは、先に説明したコンテンツ再生装置１００の機能を、テレビと携帯電話端末とに分担させることにより実現されたシステムである。
【００５１】
（第１の構成例）
図５は、コンテンツ再生システムの第１の構成例を示すブロック図である。図５に示したコンテンツ再生システム７００は、テレビ７１０と携帯電話端末７２０とを含んでいる。
【００５２】
図５に示したように、テレビ７１０は、映像コンテンツ取得部１１０と、映像再生部１２１と、字幕送信部１２２ａと、被選択キーワード受信部１３２ａと、リソース検索部１３３と、リソース選択部１３４と、リソース取得部１３５と、関連コンテンツ再生部１４０とを備えており、再生した映像２１０と関連コンテンツ３００とを内蔵表示装置に表示する。一方、携帯電話端末７２０は、字幕受信部１２２ｂと、キーワード抽出部１３１と、被選択キーワード送信部１３２ｂとを備えており、再生した字幕２２０を内蔵表示装置に表示する。
【００５３】
テレビ７１０における映像コンテンツ取得部１１０、映像再生部１２１、リソース検索部１３３、リソース選択部１３４、リソース取得部１３５、および、関連コンテンツ再生部１４０、ならびに、携帯電話端末７２０におけるキーワード抽出部１３１は、図２において同一の参照符号により示したブロックと同一の機能をもつ。
【００５４】
テレビ７１０が備えている字幕送信部１２２ａは、映像コンテンツ取得部１１０が取得したリソースから字幕文字列を抽出し、携帯電話端末７２０に送信するための手段である。携帯電話端末７２０が備えている字幕受信部１２２ｂは、テレビ７１０から送信された字幕文字列を受信するとともに、受信した字幕文字列に基づいて字幕２２０を再生するための手段である。字幕受信部１２２ｂが受信した字幕文字列は、キーワード抽出部１３１に与えられる。
【００５５】
携帯電話端末７２０が備えている被選択キーワード送信部１３２ｂは、キーワード抽出部１３１によって抽出されたキーワードの何れかをユーザ操作に基づいて選択するとともに、選択された被選択キーワードをテレビ７１０に送信する。テレビ７１０が備えている被選択キーワード受信部１３２ａは、携帯電話端末７２０から送信された被選択キーワードを受信してリソース検索部１３３に与えられる。
【００５６】
コンテンツ再生システム７００においては、リソースの検索／選択、および、関連コンテンツの再生がテレビ７１０において行われる。したがって、携帯電話端末７２０の処理能力が低い場合でも処理速度の低下を最小限に止めるというメリットがある。また、より表示能力の高いテレビ７１０を用いて関連コンテンツを再生することができるというメリットがある。
【００５７】
（第２の構成例）
図６は、コンテンツ再生システムの第２の構成例を示すブロック図である。図６に示したコンテンツ再生システム８００は、テレビ８１０と携帯電話端末８２０とを含んでいる。
【００５８】
図６に示したように、テレビ８１０は、映像コンテンツ取得部１１０と、映像再生部１２１と、字幕送信部１２２ａとを備えており、再生した映像２１０を内蔵表示装置に表示する。一方、携帯電話端末８２０は、字幕受信部１２２ｂと、キーワード抽出部１３１と、キーワード選択部１３２と、リソース検索部１３３と、リソース選択部１３４と、リソース取得部１３５と、関連コンテンツ再生部１４０とを備えており、再生した字幕２２０と関連コンテンツ３００とを内蔵表示装置に表示する。テレビ８１０における映像再生部１２１、ならびに、携帯電話端末８２０におけるキーワード抽出部１３１、キーワード選択部１３２、リソース検索部１３３、リソース選択部１３４、リソース取得部１３５、および、関連コンテンツ再生部１４０は、図２において同一の参照符号により示したブロックと同一の機能をもつ。
【００５９】
テレビ８１０が備えている字幕送信部１２２ａは、映像コンテンツ取得部１１０が取得したリソースから字幕文字列を抽出し、携帯電話端末８２０に送信するための手段である。携帯電話端末８２０が備えている字幕受信部１２２ｂは、テレビ８１０から送信された字幕文字列を受信するとともに、受信した字幕文字列に基づいて字幕２２０を再生するための手段である。字幕受信部１２２ｂが受信した字幕文字列は、キーワード抽出部１３１に与えられる。
【００６０】
コンテンツ再生システム８００においては、字幕の表示、キーワードの選択、リソースの検索／選択／取得、および、関連コンテンツの再生が携帯電話端末８１０において行われる。したがって、ユーザの手元の携帯電話端末８２０を用いて関連コンテンツを再生することができるというメリットがある。また、例えば、映像コンテンツがワンセグ放送コンテンツである場合、携帯電話端末９１０の構成からワンセグチューナやデコーダを省けるというメリットがある。
【００６１】
（第３の構成例）
図７は、コンテンツ再生システムの第３の構成例を示すブロック図である。図７に示したコンテンツ再生システム９００は、テレビ９１０と携帯電話端末９２０とを含んでいる。
【００６２】
図７に示したように、テレビ９１０は、映像コンテンツ送信部１１０ａと、映像再生部１２１と、を備えており、再生した映像２１０を内蔵表示装置に表示する。一方、携帯電話端末９２０は、映像コンテンツ受信部１１０ｂと、映像再生部１２１と、字幕再生部１２２と、キーワード抽出部１３１と、キーワード選択部１３２と、リソース検索部１３３と、リソース選択部１３４と、リソース取得部１３５と、関連コンテンツ再生部１４０とを備えており、再生した映像２１０と字幕２２０と関連コンテンツ３００とを内蔵表示装置に表示する。テレビ９１０における映像再生部１２１、ならびに、携帯電話端末９２０における、映像再生部１２１、字幕再生部１２２、キーワード抽出部１３１、キーワード選択部１３２、リソース検索部１３３、リソース選択部１３４、リソース取得部１３５、および、関連コンテンツ再生部１４０は、図２において同一の参照符号により示したブロックと同一の機能をもつ。
【００６３】
テレビ９１０が備えている映像コンテンツ送信部１１０ａは、映像コンテンツ２００を再生するためのリソースを取得するとともに、取得したリソースを携帯電話端末９２０に送信するための手段である。携帯電話端末９２０が備えている映像コンテンツ受信部１１０ｂは、テレビ９１０から送信されたリソースを受信するための手段である。
【００６４】
コンテンツ再生システム９００においては、映像の表示、字幕の表示、キーワードの選択、リソースの検索／選択／取得、および、関連コンテンツの再生が全て携帯電話端末９１０において行われる。したがって、ユーザの手元の携帯電話端末９２０を用いて映像コンテンと関連コンテンツとを再生することができるというメリットがある。また、例えば、映像コンテンツがワンセグ放送コンテンツである場合、携帯電話端末９１０の構成からワンセグチューナを省けるというメリットがある。
【００６５】
なお、携帯電話端末７２０、８２０、および、９２０は、例えばリモコンやＰＤＡなどに置換することができ、携帯電話端末７２０、８２０、および、９２０の代わりに、字幕再生機能を有する任意の携帯型情報端末を用いてコンテンツ再生システムを構成してもよい。また、テレビ７１０、８１０、および、９１０は、例えば、パーソナルコンピュータなどに置換することができる。
【００６６】
〔付記事項〕
最後に、コンテンツ再生装置１００に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６７】
すなわちコンテンツ再生装置１００は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００６８】
この記録媒体は、上述した機能を実現するソフトウェアであるコンテンツ再生装置１００のプログラムのプログラムコード（実行形式プログラム、中間コードプログラム、ソースプログラム）をコンピュータで読み取り可能に記録していればよい。コンテンツ再生装置１００に、この記録媒体を供給する。これにより、コンピュータとしてのコンテンツ再生装置１００（またはＣＰＵやＭＰＵ）が、供給された記録媒体に記録されているプログラムコードを読み出し、実行すればよい。
【００６９】
プログラムコードをコンテンツ再生装置１００に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７０】
また、コンテンツ再生装置１００を通信ネットワークと接続可能に構成しても、本発明の目的を達成できる。この場合、上記のプログラムコードを、通信ネットワークを介してコンテンツ再生装置１００に供給する。この通信ネットワークはコンテンツ再生装置１００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７１】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７２】
以上、本発明を実施形態に基づいて具体的に説明したが、本発明は、上述した各実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【００７３】
本発明は、字幕等の文字情報が付随した映像コンテンツを再生する各種装置に適用することができ、例えば、携帯電話端末、ＰＤＡ、テレビ（テレビジョン受像機）、パーソナルコンピュータ等に幅広く利用することができる。
【図面の簡単な説明】
【００７４】
【図１】本発明の実施形態を示すものであり、コンテンツ再生装置が備えている表示装置に表示される画面を例示した図である。
【図２】本発明の実施形態を示すものであり、コンテンツ再生装置の構成を示したブロック図である。
【図３】本発明の実施形態を示すものであり、図２に示したコンテンツ再生装置が備えている関連コンテンツ取得部の構成を示すブロック図である。
【図４】本発明の実施形態を示すものであり、コンテンツ再生装置が備えている表示装置に表示される他の画面を例示した図である。
【図５】本発明の実施形態を示すものであり、コンテンツ再生システムの第１の構成例を示すブロック図である。
【図６】本発明の実施形態を示すものであり、コンテンツ再生システムの第２の構成例を示すブロック図である。
【図７】本発明の実施形態を示すものであり、コンテンツ再生システムの第３の構成例を示すブロック図である。
【符号の説明】
【００７５】
１００          コンテンツ再生装置
１１０              映像コンテンツ取得部
１２０              映像コンテンツ再生部
１２１                  映像再生部
１２２                  字幕再生部
１３０              関連コンテンツ取得部
１３１                  キーワード抽出部
１３２                  キーワード選択部
１３３                  リソース検索部
１３４                  リソース選択部
１３５                  リソース取得部
１４０              関連コンテンツ再生部
１５０              表示装置
１６０              記憶装置
【図１】
2009206993.tif 000003
【図２】
2009206993.tif 000004
【図３】
2009206993.tif 000005
【図４】
2009206993.tif 000006
【図５】
2009206993.tif 000007
【図６】
2009206993.tif 000008
【図７】
2009206993.tif 000009